(57)【要約】      （修正有）【課題】極めて簡単な構成で、遠投、正確投擲性能を維持するとともに、糸がらみをなくし、同時に魚のあたりを敏感に判別することのできる釣り用浮を提供する。【解決手段】釣り用浮き１は、径大部１０と、径大部の上部に一体連設された径小部２０とを含む浮き本体２と、径大部に一部又は全部を埋め込み設けられた錘と、径大部又は径小部の表面から突出した近接位置で魚のアタリがあったときに浮き本体が転倒する浮き本体位置に固定された糸通し環５０であって、その糸通し環のみを介して道糸と係合する糸通し環とを含む。魚のアタリが糸通し環を介して直接に浮きを転倒させ、さらにこの浮き自体が遠投機能、道糸との絡み防止機能を有する。【選択図】図２
0003169030.tif 000002
【実用新案登録請求の範囲】
【請求項１】
径大部と、径大部の上部に一体連設された径小部と、を含む浮き本体と、
径大部に一部又は全部を埋め込み設けられた錘と、
径大部又は径小部の表面から突出した近接位置で魚のアタリがあったときに浮き本体が転倒する浮き本体位置に固定された糸通し環であって、その糸通し環のみを介して道糸と係合する糸通し環と、を含む釣り用浮き。
【請求項２】
浮き本体は、全体サイズが縦横比で３以下〜１：１のブロック形状であることを特徴とする請求項1又は２記載の釣り用浮き。
【請求項３】
浮き本体は、全体サイズが縦横比で２．５：１〜１：１であることを特徴とする請求項1又は２記載の釣り用浮き。
【請求項４】
浮き本体は、径大部が略球体で、該径大部から連続して上方に向けて小径化して径小部で終端した略無花果形状であることを特徴とする請求項１ないし３のいずれかに記載の釣り用浮き。
【請求項５】
糸通し環は、径大部から径小部に至る中間部分又は径小部に設定されていることを特徴とする請求項１ないし４のいずれかに記載の釣り用浮き。
【請求項６】
浮き本体は、径大部から径小部あるいは径小部自体において、浮き本体の内部側に湾曲する湾曲部を有することを特徴とする請求項１ないし５のいずれかに記載の釣り用浮き。
【請求項７】
径小部の頂部に透光性キャップを介して発光体を着脱自在に封止する発光体封止手段を設けたことを特徴とする請求項１ないし６のいずれかに記載の釣り用浮き。
【考案の詳細な説明】
【技術分野】
【０００１】
本考案は、釣り用浮きに関し、特に、遠投自立浮きでブロック状の釣り用浮きに関する。
【背景技術】
【０００２】
釣り用浮きは、主に簡易なレジャーの１つである釣りに用いられ、魚信を確認するツールとして知られており、これまでにも多くの提案がなされている。釣り用浮きの種類としては、形状による分類として棒形状の棒浮き、どんぐり形状のどんぐり浮き、球形状の玉浮き、羽根付き浮き、使用法による分類として水の流れに対するブレーキング機能としての水中浮き、釣り座から目的のポイントに確実に飛ばしやすくする飛ばし浮き、魚が餌をくわえたときのあたりを専ら見るためのあたり浮き、浮きに対する道糸の通係のしかたにより浮きの底部に取り付けた環を用いて道糸に沿ってスライド自在に係合する環付き浮き、浮き本体に貫通孔を設けて貫通孔に道糸を挿通させた状態で用いる中通し浮きなどの種類がある。これらの種類中にはさらに他の機能を付加した特殊浮きなどもある。
【０００３】
図１１は、従来の例えば中通し浮きの典型的な仕掛けパターンを示す図であり、図において、釣竿１００のリール装置から繰り出される道糸１０２の先端側には、より戻し部材１０４を介して例えば１メートル〜３メートル程度の長さのハリス糸１０６が連結されハリス糸の先端に釣り針１０８が接続されている。ハリス糸１０６の中間には釣り針の水中での沈み方微調整用の小型錘１０９が片割り開口から装着して固定されている。より戻し部材１０４の上方位置となる道糸１０２に浮き下深さを規定する浮き止め部材１１０が固定され、さらにより戻し部材１０４と浮き止め部材１１０との間の道糸部分に、上から、遊動ストッパとしてのしもり玉１１２、中通し浮き１１４、水中浮き１１６、下部遊動ストッパとしての浮き止め部材１１０がそれぞれ道糸に挿通状態で取り付けられている。このように、浮き釣り仕掛けにおいては、複数の釣り用小物類の装着が不可欠であり、また、取付順番を違えると例えば道糸１０２からより戻し部材１０４を切って、部材を道糸から抜き出し、再度正しい順番どおりに道糸への小物の装着を行なわねばならない、等の煩雑で、手先操作を要する作業が必要である。一方、注意力が緩む夜釣りは大型魚が釣れやすく夜釣りファンも多く存在するが、夜釣り用の仕掛けは浮き本体の凹部やアダプタ筒等を介して小型発光体を取り付けて行なわれていた。従来、釣り用浮きについて、例えば特許文献１による提案がなされている。
【先行技術文献】
【特許文献】
【０００４】
【特許文献１】特開２００２−３２５５３３号公報
【考案の概要】
【考案が解決しようとする課題】
【０００５】
特許文献１の釣り用浮きは、浮き本体の底部に錘を備える釣り用浮きであって、錘を収容したケースを浮きの底部に嵌着させて錘の傷つきによる浮き本体の塗装部剥離等の防止や錘錆び付き防止を企図したものである。特許文献１の浮きは、水上で自立機能があり、遠投機能もある程度望めると考えられるが、図１（Ａ）の中通しタイプでは魚のアタリがあったときに、浮き全体が沈まないと釣人にはアタリとして分からない場合が多くアタリの反応性に問題があるとともに、道糸が中通しのため夜釣りでの発光体を浮きの直立軸線に沿って取り付けることができず、魚のアタリとして把握しにくいという問題があった。また、図１（Ｂ）、（Ｃ）では、糸通し環が浮き本体の底部に取り付けられているので（Ａ）と同様に、浮き全体が沈まないと釣人にはアタリとして分からないために、アタリの反応性に問題がある。また、（Ｂ）、（Ｃ）浮きは、仕掛けの投入前に竿を背後にして構えた際に浮きの錘側が上位で頭部側が下位となり、このため竿を振り降ろしたときに道糸に浮きが絡んだり、あるいは絡んだ状態で投げられるので、投擲ポイントに正確に着水できなかったり、遠投性能自体に問題がある場合があった。さらに、（Ｃ）の棒浮きについても発光体の取り付けが困難である問題があった。
【０００６】
本考案は上記従来の課題に鑑みてなされたものであり、その一つの目的は、極めて簡単な構成でありながら、遠投、正確投擲性能を維持するとともに、糸がらみをなくし、同時に魚のあたりを敏感に判別することのできる釣り用浮を提供することにある。また、本考案の他の目的は、釣り用の小物道具を最小限にし得るとともに、夜釣り用の浮きとして遠投、正確投擲性能を保持しつつ発光体による魚の敏感なあたりを判別することのできる釣り用浮を提供することにある。
【課題を解決するための手段】
【０００７】
上記課題を解決するために本考案は、径大部１０と、径大部の上部に一体連設された径小部２０と、を含む浮き本体２と、径大部１０に一部又は全部を埋め込み設けられた錘３０と、径大部１０又は径小部２０の表面から突出した近接位置で魚のアタリがあったときに浮き本体２が転倒する浮き本体位置に固定された糸通し環５０であって、その糸通し環のみを介して道糸５と係合する糸通し環５０と、を含む釣り用浮き１から構成される。
【０００８】
また、浮き本体２は、全体サイズが縦横ｘ、ｙ比で３以下〜１：１のブロック形状であるとよい。
縦横比で３を越える値：１の大きさとなると、浮き全体長が棒状浮きのように長くなり、竿の投擲前の予備姿勢、投擲後の滞空時、着水後の水上での状態などにおいて、道糸が浮きに絡みやすくなり、釣果のロスにつながる。また、全長が長くなって浮きトップ部分を保護する必要もあり、保管、携帯に支障を生じ得る。また、１未満：１では横サイズが大きな浮きとなり、錘を担持した浮きの転倒モーメントが大きくなってアタリの反応性を損なう
【０００９】
また、浮き本体２は、全体サイズが縦横ｘ、ｙ比で２．５：１〜１：１であるとなおよい。
【００１０】
さらに、浮き本体２は、径大部１０が略球体で、該径大部１０から連続して上方に向けて小径化して径小部２０で終端した略無花果形状とするとよい。
【００１１】
また、糸通し環５０は、径大部１０から径小部２０に至る中間部分又は径小部２０に設定されるとよい。
【００１２】
また、浮き本体２は、径大部１０から径小部２０あるいは径小部２０自体において、浮き本体２の内部側に湾曲する湾曲部４を有することとするとよい。
【００１３】
さらに、径小部２０の頂部に透光性キャップ４６を介して発光体４２を着脱自在に封止する発光体封止手段４０を設けるとなおよい。
【考案の効果】
【００１４】
本考案の釣り用浮きによれば、径大部と、径大部の上部に一体連設された径小部と、を含む浮き本体と、径大部に一部又は全部を埋め込み設けられた錘と、径大部又は径小部の表面から突出した近接位置で魚のアタリがあったときに浮き本体が転倒する浮き本体位置に固定された糸通し環であって、その糸通し環のみを介して道糸と係合する糸通し環と、を含む構成であるから、極めて簡単な構成で製作が容易であり、かつ、遠投、正確投擲性能を保持するとともに、糸がらみをなくし、同時に魚のあたりを敏感に判別することのできる釣り用浮きを得ることができる。また、夜釣り用の浮きとして遠投、正確投擲性能を保持しつつ発光体による魚の敏感なあたりを判別することのできる釣り用浮きとすることができる。
【００１５】
また、浮き本体は、全体サイズが縦横比で３以下：１のブロック形状である構成とすることにより、棒状の長い浮きと異なり、道糸が浮きに巻きついたり縺れ難くなる。また浮き止め部材３を道糸に沿って移動させるタナ調整操作において、邪魔にならず釣り最中の頻繁なタナ調整を簡単に行なえる。さらに、全体がコンパクトなサイズとなり、保管、携帯を楽に行なえる。
【００１６】
また、浮き本体は、全体サイズが縦横比で２．５：１〜１：１である構成とすることにより、上記と同様に棒状の長い浮きと異なり、道糸が浮きに巻きついたり縺れ難くなる。また浮き止め部材３を道糸に沿って移動させるタナ調整操作において、邪魔にならず釣り最中の頻繁なタナ調整を簡単に行なえる。さらに、全体がコンパクトなサイズとなり、保管、携帯を楽に行なえる。
【００１７】
また、浮き本体は、径大部が略球体で、該径大部から連続して上方に向けて小径化して径小部で終端した略無花果形状である構成であるから、アタリを報知する浮きの場合に転倒状の動きを生成し、この際に排出する水量が球体などに比較して少なく、そのぶん水の抵抗が小さくなって微細なアタリでも敏感に動きを反映させることができる。
【００１８】
また、糸通し環は、径大部から径小部に至る中間部分又は径小部に設定されている構成とすることにより、径大部から浮きの中央部方向に凹設する湾曲部分に糸通し環を固定させて水の抵抗を少なくし、アタリの応答性を良好にさせることを実効あらしめる。
【００１９】
また、浮き本体は、径大部から径小部あるいは径小部自体において、浮き本体の内部側に湾曲する湾曲部を有する構成とすることにより、水の抵抗を少なくし、アタリの応答性を良好にさせることを実効あらしめる。
【００２０】
また、径小部の頂部に透光性キャップを介して発光体を着脱自在に封止する発光体封止手段を設けることにより、浮き本体の外形形状に一体化した発光体収容構成を実現し、投擲、回収時の道糸や他の仕掛け部分との絡みを防止するとともに、全体として発光体のために浮きの全長長さが長くなったり、発光体の支持が弱くなって竿による投擲時に離脱したりすることを防止し得る。浮きの外形形状に一体化、あるいは同化させ得るから、竿の振り出し時などに風圧を受けて投げ込みポイントがずれるようなことがなく、ピンポイントで目的の水域に着水させることができる。
【図面の簡単な説明】
【００２１】
【図１】本考案の第１の実施形態に係る釣り用浮きによる仕掛けを有する釣り糸、リール、竿の投擲前の全体概略構成説明図である。
【図２】本考案の第１の実施形態に係る釣り用浮きの正面説明図である。
【図３】図２の釣り用浮きの中央縦断面図である。
【図４】図２の釣り用浮きの分解断面図である。
【図５】図２の釣り用浮きの平面図である。
【図６】図２の釣り用浮きの底面図である。
【図７】図２の釣り用浮きを含む仕掛けの着水時の説明図である。
【図８】図２の釣り用浮きの作用説明図である。
【図９】図２の釣り用浮きの作用説明図である。
【図１０】第２実施形態に係る釣り用浮きの正面図である。
【図１１】従来の浮き釣り仕掛けの構成説明図である。
【考案を実施するための形態】
【００２２】
以下、添付図面を参照しつつ本考案の釣り用浮きの実施の形態について説明する。本実施形態の釣り用浮きは、遠投機能、正確な着水機能、仕掛け作りの簡易性、最小限度の仕掛け小物による仕掛け、アタリの視認性、微細なアタリの把握可能化等の浮きとして望まれるほとんど全ての機能を網羅的に有し、かつシンプルな構造のオールラウンド使用可能な浮きであり、特に、夜釣りにおいても効果的に魚のアタリを取ることのできる釣り用浮きである。
【００２３】
図１ないし図９は本考案の釣り用浮きの第１の実施形態を示しており、図において、実施形態の釣り用浮き１は、浮き本体２と、錘３０と、糸通し環５０と、を含む。そして、浮き本体２は、径大部１０と、径大部１０の上部に一体連設された径小部２０と、を備えている。
【００２４】
図２，３，５，６に示すように、本実施形態の釣り用浮きは全体として縦横（ｘ：ｙ）サイズ比が小さく、ずんぐりとした形状の浮力素材で構成されている。図において、実施形態の釣り用浮き１は、下部が径大で上方にいくにしたがってしだいに径小となるブロック状の浮きであり、詳細には径大部１０が略球体で、径大部１０から連続して上方に向けて小径化して径小部２０で終端した無花果（イチジク）形状で形成されている。全体の縦横比が小さく、ブロック形状で構成されることにより、例えば棒状浮きのように投擲時に道糸が浮きに巻きついたり縺れ難くなる。また浮き止め部材３を道糸に沿って移動して浮きのタナ調整をする際に長さで邪魔にならないのでタナ調整操作を容易に行なえる。また、実施形態では、径大部１０から連続して上方に向けて小径化した径小部２０を有する無花果形状とすることにより、ある程度小径化した部分で水平切断して終端し、該水平切断面を利用して後述する発光体４２を封止状態で収容させて夜釣り用の浮きとして機能させることができる。実施形態では、全体形状を無花果形状としているが、必ずしもこの形状に限る必要はなく、径大部に連続して径小部を円錐、多角錐、錐台、小球体、それらの多段形状などにすることもできる。
【００２５】
径大部１０は、浮き本体２の土台部分をなす部分であり、少なくとも木製などの浮力素材で形成されている。素材は、木製に限らず発泡性プラスチック、中空体、これらの組み合わせによる浮力構造とすることもできる。実施形態は、径大部１０及び径小部２０を同一木質素材の削り出し成形により実現している。すなわち、この径大部１０は、着水時にほとんどが水面下に存在する部分であって、浮力支持の基礎部分を構成する。浮き本体全体の縦横サイズのうちの横サイズが最も大となる部分を有している。径大部１０自体の形状は、球体、楕円体などが基本形として考えられるがそれらの表面に平面部を形成したものでも良い。径大部１０は、例えば球又は略球形状の輪郭線（図２一点鎖線）部分に沿う表面部分を含む部分をいう。したがって、その部分から上方部分が径小部２０とされる。
【００２６】
径小部２０は、径大部１０の上部に一体連設されて径大部１０とともに浮き本体２を構成する部分である。上記のように、浮き本体全体は、径大部１０から連続して上方に向けて小径化した径小部２０を有する無花果形状とされ、特に、径大部１０から径小部２０にかけて連続する部分において、浮き本体の内部側に湾曲する湾曲部４を形成している。このような形状とすることにより例えば全体を縦長の楕円体、あるいは全体を球体とする場合に横倒し状、あるいは転倒状に動いて釣人にアタリを報知する浮きの場合に転倒状の動きの際に排出する水量が球体などに比較して少なく、そのぶん水の抵抗が小さくなって微細なアタリでも敏感に動きを反映させる。なお、湾曲部４は、径小部自体において、設けられている形態の浮き本体も含まれる。
【００２７】
図３，４において、径大部１０内に一部を埋め込まれた状態で錘３０が取付固定されている。錘３０は、竿を振り降ろして所望のポイントに仕掛けを安定して着水させる際の遠投機能を行なう質量付加手段であり、実施形態において略球体の径大部１０の幅方向中央下端位置に一部を露出した状態で取り付け固定されている。錘３０は、着水時に径小部２０の頂部、すなわち浮きのトップ部分が水面上に出て浮き全体が水上で自立できる程度に浮力調整された錘が径大部１０の下端部に嵌着して接着、接合、その他の任意の手段により径大部１０に一体的に取り付けられる。錘３０は、その全部を浮き本体２内に埋め込んだ状態で設置してもよい。
【００２８】
本実施形態において、浮き本体２は、全体サイズで見て縦横比で３以下：１のブロック形状で形成されているのが好適である。これによって、道糸が浮きに巻きついたり縺れ難くなる。また浮き止め部材３を道糸に沿って移動させるタナ調整操作において、邪魔にならず釣り最中の頻繁なタナ調整を簡単に行なえる。さらに、全体がコンパクトなサイズとなり、保管、携帯を楽に行なえる。縦横比で３を越える値：１の大きさとなると、浮き全体長が棒状浮きのように長くなり、竿の投擲前の予備姿勢、投擲後の滞空時、着水後の水上での状態などにおいて、道糸が浮きに絡みやすくなり、釣果のロスにつながる。また、全長が長くなって浮きトップ部分を保護する必要もあり、保管、携帯に支障を生じ得る。また、１未満：１では横サイズが大きな浮きとなり、錘を担持した浮きの転倒モーメントが大きくなってアタリに対して敏感に反応しにくくなる。
【００２９】
より好適には、浮き本体は、全体サイズが縦横比で２．５：１〜１：１であるとなお良く、２．０：１〜１．４：１が最適である。
【００３０】
糸通し環５０は、道糸５に沿って自由に遊動しうるように浮きを道糸５に係合させる係合手段であり、本実施形態において、糸通し環５０は、浮き本体２の表面から突出して浮き本体に近接した位置であって、魚のアタリがあったときに浮き本体が転倒する動き（図８，９参照）をさせる浮き本体での位置に固定されている。そして、実施形態の釣り用浮き１は、この糸通し環５０のみを介して道糸５と係合するようになっている。図３，４において、糸通し環５０は、径大部１０と径小部２０の中間部分からやや径小部２０寄りの湾曲部４に取り付けられている。本実施形態では、割りピン５４を鉛直線から３０度程度傾けて浮き本体の中央部方向に向けて穿刺固定しているので、浮き本体の表面に接する糸通し孔５２を形成でき、これによって、ターゲットの魚のアタリをより敏感に視認することができ、また、取り付けも簡単である。糸通し環５０は、径大部１０から径小部２０に至る中間部分又は径小部２０に設定するとよい。
【００３１】
詳細には、図７において、より戻し５６付きのスナップ部材５８のスナップ５８Ａを糸通し杆５０に引っ掛け、より戻し環６０に道糸５を通係させることにより道糸５と釣り用浮き１を係合させている。これによって、浮き１は、道糸上部の浮き止め部材３と下部のより戻し部材６間を遊動し得る。なお、本実施形態では、道糸５と釣り用浮き１とはより戻し５６付きのスナップ部材５８を介して係合しているが、必ずしもより戻し５６付きのスナップ部材５８を介さずに、道糸５を直接に糸通し環５０の糸通し孔５２に通係させて用いても良い。
【００３２】
さらに、本実施形態において、径小部２０に発光体封止手段４０が設けられている。発光体封止手段は、径小部２０に夜釣り用の発光体４２を取り付けて封止し防水して水から発光機構を保護するものであり、実施形態において、径小部２０の頂部の水平切断面から芯軸方向に凹設した縦長の発光体収容室４４と、発光体収容室に発光４２体を収容させた状態で封止する封止キャップ４６と、を含む。これによって、ずんぐりタイプの塊状の浮き本体の径小部に発光体を取り付けることができ、全体として発光体のために浮きの全長長さが長くなったり、発光体の支持が弱くなって竿による投擲時に離脱したりすることがない上に、浮きから不自然に突出することなく、浮きの外形形状に一体化、あるいは同化して形成されるので、竿の振り出し時などに風圧を受けて投げ込みポイントがずれるようなことがなく、ピンポイントで目的の水域に着水させることができる。発光体としては、例えば細長いリチウム電池駆動式のＬＥＤ発光装置や化学物質の反応による発光体を用いることもできる。詳細には、実施形態において、径小部２０の頂部の水平切断面から芯軸方向に縦長の溝を設けて、この溝内に例えば金属あるいは合成樹脂製の長筒４８を嵌合し、この長筒４８内にリチウム電池駆動式のＬＥＤ発光装置を発光体４２として挿入し、その上から封止キャップを嵌着させたものである。
【００３３】
次に、図１、図７〜図９を参照して、実施形態の釣り用浮き１の作用について説明する。なお、図１中、７は下部浮き止め部材、８は調整用小型錘、９は釣り針、１２は竿、１４はリールである。図１において、仕掛けをセットして竿の振り降ろし前の姿勢では釣人は竿を背後に振りかざした状態とし、これから正眼あるいは八双の構えの振り降ろしに似た動作で投擲する。図１の振り降ろし前で背後に仕掛けをぶら下げた状態では浮き１は、浮き本体に対する糸通し環５０の固定位置の関係から、やや斜めに傾いた状態となっている。このまま投擲すると、錘３０が遠心力の作用点となって飛動し、仕掛けを引っ張っていく。その際、道糸５とは巻きついたり絡むことがない。着水後、道糸と浮き１の関係は、例えば図７に示すように寄り戻し付きスナップ部材５８のより戻し環６０を道糸５が通係し、同スナップ部材５８のスナップ５８Ａが浮き本体の径小部２０あるいはその近傍で挿通自在に係合している。浮き１は錘３０を抱いているので水上で一部を水面上に露出して自立している。この状態で魚のアタリがあると、浮き本体が９０度方向に転回あるいは転倒するように動き（図８、図９）、魚のアタリを釣人に知らせる。浮きは径大部又は径小部の表面から突出した近接位置で魚のアタリがあったときに浮き本体が転倒する浮き本体位置で径大部又は径小部の表面から突出した近接位置に固定された糸通し環で道糸と係合し魚のアタリが直接に浮きの転倒動作を生じさせるから、魚のアタリを敏感に検出して外部に報知させる。特に、本実施形態では、内側にくびれた湾曲部４を有しているので、この浮きの転倒時には水の抵抗が少なく、転倒方向へ敏感かつスムーズに動き、微小な魚の食餌動作を検出する（図９（ａ）〜図９（ｄ））。図７のように、基本的な仕掛けは、図１１の従来の仕掛けと略同様であるが、遠投機能、発光体装備による夜釣り機能を有し、アタリ浮きや水中浮きを別に取り付ける必要がない点とともに、アタリの敏感な検出機能を有する点で優れる。発光体４２は発光体封止手段により、浮きと一体化した形状で取り付けることが可能であるから、不自然な突起物を形成することなく道糸と絡みにくい。したがって、リール１４により道糸５を回収するときにも、からみ難い。図１に示すように、仕掛けは通常の浮き釣りに必要な程度の装備でよく、簡単であり寄り戻し付きスナップ部材５８と浮きの糸通し環との着脱操作のみで釣りの開始あるいは終了による仕舞い込みを行なえる。
【００３４】
図１０は、本考案の第２の実施形態に係る釣り用浮きを示しており、第１実施形態と同一部材には同一符号を付している。第２実施形態の釣り用浮き１−２は、径大部１０と径小部２０の例えば中間部分において、アタリ報知用の着色部７０を設けた点以外は、第１実施形態と同一であり、それによる作用効果も同一である。アタリ報知用の着色部７０は例えば赤色、黄色あるいはそれらの蛍光色を塗着させたものであり、特に昼間の釣りにおいてある程度遠投した釣りを行なうときに機能を発揮する。
【産業上の利用可能性】
【００３５】
以上説明した本考案の釣り用浮きは、堤防釣り、磯釣り、昼夜釣り、遠投釣り、近場ポイントの釣り、さらにほとんどすべての魚種について適用し得る。
【符号の説明】
【００３６】
１、１−２  釣り用浮き
２  浮き本体
４  湾曲部
５  道糸
１０  径大部
２０  径小部
３０  錘
４０  発光体封止手段
４２  発光体
４４  発光体収容室
４６  封止キャップ
５０  糸通し環
５２  糸通し孔
【図１】
0003169030.tif 000003
【図２】
0003169030.tif 000004
【図３】
0003169030.tif 000005
【図４】
0003169030.tif 000006
【図５】
0003169030.tif 000007
【図６】
0003169030.tif 000008
【図７】
0003169030.tif 000009
【図８】
0003169030.tif 000010
【図９】
0003169030.tif 000011
【図１０】
0003169030.tif 000012
【図１１】
0003169030.tif 000013